(57)【要約】【課題】減速部を分解することなく、摩擦板の摩耗限界を判断することができるメカニカルブレーキを備えた電気チェーンブロックを提供する。【解決手段】電動機と、前記電動機の回転を所定の回転速度に減速させる摩擦板を有するメカニカルブレーキが備えられた減速部と、前記減速部に連結されたロードシーブと、前記ロードシーブにより回転力を伝達されたロードチェーンを介して巻上げ又は巻下げられるロードブロックと、を備える電気チェーンブロックにおいて、メカニカルブレーキの摩擦板が摩耗限界に至ったことを自動的に検出する。【選択図】  図１
2009179469.tif 000002
【特許請求の範囲】
【請求項１】
電動機と、
前記電動機の回転を所定の回転速度に減速させる摩擦板を有するメカニカルブレーキが備えられた減速部と、
前記減速部に連結されたロードシーブと、
前記ロードシーブにより回転力を伝達されたロードチェーンを介して巻上げ又は巻下げられるロードブロックと、
を備える電気チェーンブロックにおいて、
メカニカルブレーキの摩擦板が摩耗限界に至ったことを自動的に検出することを特徴とする電気チェーンブロック。
【請求項２】
請求項１記載の電気チェーンブロックにおいて、つめ車の移動量を制限するためのストローク式スイッチを備え付けることで、摩擦板が摩耗限界に至った状態を検出することができることを特徴とする電気チェーンブロック。
【請求項３】
請求項１記載の電気チェーンブロックにおいて、つめ車の位置を検出するためのセンサを備え付けることで、摩擦板が摩耗限界に至った状態を検出することができることを特徴とする電気チェーンブロック。
【発明の詳細な説明】
【技術分野】
【０００１】
本発明は、メカニカルブレーキの摩擦板の摩耗量検知機構を備える電気チェーンブロックに関する。
【背景技術】
【０００２】
従来、モータ１により減速部４を介してロードシーブ６を駆動させ、重量物の巻上げ・巻下げを行なう電気チェーンブロックにおいて、荷重に比例した制動力が働き、巻下げのとき、駆動側回転と負荷側回転とが一致するブレーキであるメカニカルブレーキを使用する場合があり、ネジを用いたネジ式メカニカルブレーキが一般的に知られている（例えば、特許文献１参照）。
【０００３】
このネジ式メカニカルブレーキは、図１に示すように、雄ネジ１３ａを設けたブレーキ受板１３と、その雄ネジ１３ａに嵌合する雌ネジ１１ａを内径側に設けたギヤ１１と、ブレーキ受板１３とスプライン等で嵌合したロードシーブシャフト１２およびギヤ１１とブレーキ受板１３の間に介在するつめ車１０ならびに、つめ車１０とかみ合い、つめ車１０の回転を一方向だけに制御する部品であるつめ、つめ車１０の両面に配置される摩擦材の摩擦板８等により構成されている。
【０００４】
以上の構成において、吊荷の巻上げ動作は次のようにして行なわれる。ピニオン１４がＡ方向に回転すると、ギヤ１１がＣ方向に回転し、ネジが締付けられることにより、ギヤ１１，摩擦板８，つめ車１０，ブレーキ受板１３が圧着して一体に回り、つめ９がつめ車１０の上を滑って、巻上げが行なわれる。また、吊荷の巻下げ動作は次のようにして行なわれる。吊荷を巻下げる際、つめ９はつめ車１０とかみ合い、つめ車１０が固定されるが、ピニオン１４がＢ方向に回され、ギヤ１１がＤ方向に回されると、ネジが緩められることにより、ギヤ１１，摩擦板８，つめ車１０，ブレーキ受板１３間に隙間が生じ、吊荷による負荷トルクで回転をする。回転速度が早くなり、ブレーキ受板１３の回転がギヤ１１より速くなると、ネジが締付けられることにより、再び、ギヤ１１，摩擦板８，つめ車１０，ブレーキ受板１３が圧着してブレーキがかかる。
【０００５】
このようにして、ギヤ１１の回転速度と同一速度で巻下げ運転が行なわれる。したがって、巻下げ時においては、常に摩擦板８が滑り摩擦をしている状況にあり、摩耗が進行していく。そのため、摩擦板８の摩耗限界を点検する必要がある。点検の手順としては、減速部４を分解して摩擦板８の板厚を実測する構造となっている。
【０００６】
【特許文献１】特開平６−８７５９７
【発明の開示】
【発明が解決しようとする課題】
【０００７】
上記従来技術によるメカニカルブレーキは、摩擦板の摩耗限界を知るために、減速部を分解する必要があった。減速部の分解は、通常、年次点検時に行なうことから、その際に、摩耗限界の判定を行なわなければならず、摩擦板を摩耗限界まで使用することができなかった。
【０００８】
本発明の目的は、減速部を分解することなく、摩擦板の摩耗限界を判断することができるメカニカルブレーキを備えた電気チェーンブロックを提供することにある。
【課題を解決するための手段】
【０００９】
上記目的を達成するために、電動機と、前記電動機の回転を所定の回転速度に減速させる摩擦板を有するメカニカルブレーキが備えられた減速部と、前記減速部に連結されたロードシーブと、前記ロードシーブにより回転力を伝達されたロードチェーンを介して巻上げ又は巻下げられるロードブロックと、を備える電気チェーンブロックにおいて、メカニカルブレーキの摩擦板が摩耗限界に至ったことを自動的に検出するという構成をとる。
【発明の効果】
【００１０】
本発明によれば、減速部を分解することなく、メカニカルブレーキの摩擦板の摩耗量を検出することで、摩耗限界まで摩擦板を使用することができる。
【発明を実施するための最良の形態】
【００１１】
図２に基づき一般的な電気チェーンブロック操作方法について説明する。
【実施例１】
【００１２】
電気チェーンブロックの操作は、押ボタンスイッチ３の操作ボタンの押込みにより、モータ１に通電されると同時に、ブレーキ２にも通電されてブレーキ２が開放し、モータ１が回転を開始する。このモータ１の回転は、減速部４で所定の回転速度に減速され、最終減速段と連結されたロードシーブ６により回転をロードチェーン５に伝達し、ロードチェーン５を介して、ロードブロック７の巻上げ、あるいは巻下げを行い、吊荷を巻上げ、あるいは巻下げするものである。
【００１３】
一般に、電気チェーンブロックの巻上用ブレーキは、図３に示すように、モータ軸に取付けられた電磁ブレーキが単独で使用される。電磁ブレーキは、電磁作動によるブレーキであり、ブレーキ吸引力が比較的小さいため、ブレーキトルクが大きくとれず、負荷側に取付けることが困難である。吊荷の確実な保持を考慮したとき、ブレーキは負荷側に取付けることが望ましく、負荷側にブレーキを取付けるときは、大きな負荷トルクを制動することができるメカニカルブレーキが使用される。
【００１４】
ここで、電磁ブレーキとメカニカルブレーキのブレーキ機構は、ともに摩擦板８を押付けることで発生する摩擦力をブレーキ力として使用するもので、ブレーキ時に摩擦板８が摩耗をする。摩擦板８の摩耗が進行し摩耗限界に達すると、適切なブレーキトルクが得られない。したがって、摩擦板８の摩耗量を定期的に測定し、摩耗限界に達する前に交換する必要がある。一般に、電磁ブレーキは、モータ軸に取付けられており、カバーを外すことで、容易に摩擦板８の点検を行なうことが可能である。
【００１５】
これに対し、メカニカルブレーキは、その機構により、減速部４の内部に配置されることから、摩擦板８も同様に減速部４の内部に取付けられる。そのため、摩擦板８の摩耗量を点検する際は、減速部４を分解する必要があり、点検性が悪いという問題があった。
【００１６】
上記のような問題を解決するために、以下、本発明の実施例を、図１，２により説明する。
メカニカルブレーキ付きの電気チェーンブロックにおいて、ブレーキのかかっている状態とは、図１，２に示すように、つめ９がつめ車１０とかみ合い、つめ車１０が固定された状態で、ギヤ１１がＣ方向に回転することで、ネジが締付けられ、摩擦板８とつめ車１０がギヤ１１とブレーキ受板１３の間で圧着されて一体となり、ギヤ１１が固定される状態のことである。
【００１７】
また、巻下げ運転を行なったとき、つめ車１０が固定された状態で、ピニオン１４がＢ方向に回転し、ギヤ１１がＤ方向に回転すると、ネジが緩められることにより、ギヤ１１，摩擦板８，つめ車１０，ブレーキ受板１３間に隙間が生じる。
【００１８】
したがって、ギヤ１１は摩擦板８の摩耗状況によらず移動するが、つめ車１０は摩擦板８の摩耗状況に合わせて、ブレーキ受板１３に近付いていく。ここで、つめ車１０，ブレーキ受板１３は、鋼材で製作されているため、使用状態において厚さが変動することは、ほとんど無い。
【００１９】
使用状態において、その厚さが変動する部品は、摩擦板８のみであるから、つめ車１０の位置を検出することにより、摩擦板８の摩耗量が測定できることになる。次に、つめ車１０の位置を検出する方法を以下述べる。
【００２０】
つめ車１０のブレーキ受板１３側の側面に対して、ストローク式スイッチを取付ける。摩擦板８が摩耗していくことで、つめ車１０がブレーキ受板１３側に移動することで、ストローク式スイッチがＯＮ／ＯＦＦすることができる。ＯＮ／ＯＦＦの設定を摩擦板８の摩耗限界の位置とすることで、摩耗限界を出力することができる。次に、近接スイッチなどのセンサをつめ車１０のブレーキ受板１３側の側面に対して取付ける。
【００２１】
これにより、つめ車１０の位置を検知することができ、摩擦板８の摩耗限界の位置に出力を設定することで、摩耗限界を検知することができる。これらの方法により、つめ車１０の位置を検知することが可能であり、初期状態の位置から摩耗限界厚さを引いた位置を摩耗限界位とすることで、減速部４を分解することなく、摩擦板８が摩耗限界に達したかどうかを確認することができる。
【００２２】
具体的には、ストローク式スイッチまたは近接スイッチの接点をＢ接点とし、巻上げ操作回路に直列に接続する。摩擦板８が摩耗限界に達したときスイッチの接点がＯＦＦとなり、巻上げ動作ができなくなる。これにより、摩擦板８の交換作業を行なうこととする。ここで、電気チェーンブロックがライン等で使われ停止することが許されない場合、ストローク式スイッチまたは近接スイッチの接点をＡ接点とし、摩擦板８が摩耗限界に達したとき、スイッチの接点がＯＮとなることで、運転者にアラームを出すこととし、運転停止時に摩擦板８の交換作業を行なうことができるようにする。
【図面の簡単な説明】
【００２３】
【図１】本発明の一実施例のメカニカルブレーキ構造図である。
【図２】本発明の一実施例のメカニカルブレーキ構成図である。
【図３】電気チェーンブロックの外観図である。
【符号の説明】
【００２４】
１・・・モータ、２・・・ブレーキ、３・・・押ボタンスイッチ、４・・・減速部、５・・・ロードチェーン、６・・・ロードシーブ、７・・・ロードブロック、８・・・摩擦板、９・・・つめ、１０・・・つめ車、１１・・・ギヤ、１１ａ・・・雌ネジ、１２・・・ロードシーブシャフト、１３・・・ブレーキ受板、１３ａ・・・雄ネジ、１４・・・ピニオン、１５・・・ギヤストッパ
【図１】
2009179469.tif 000003
【図２】
2009179469.tif 000004
【図３】
2009179469.tif 000005